(57)【要約】【課題】スピーカー駆動部の発熱低下を可能にする効率的な低音強調を実現する音響機器、効率的な低音強調が行われた音響信号、および基音の知覚向上が行われた歪系楽器用特殊効果装置を簡潔な基本回路によって安価に提供する事を目的とする。【解決手段】高調波加算によるビートやミッシングファンダメンタル現象を利用した低音強調成分と動的振幅補正による低音強調成分を入力信号の振幅関数として移相する事でカクテル・パーティー効果を誘発させ知覚向上を行う。従来技術に比較して低音領域での最大振幅制限量を増加し効率的な低音強調を実現する、歪系楽器用特殊効果装置では加算高調波の帯域幅を拡大する事で発生する歪を利用し、ディストーションとフランジャーの直列接続に類似の特殊効果を実現する。【選択図】図１
2008219844.tif 000002
【特許請求の範囲】
【請求項１】
原音響信号より生成した小レベルの可聴帯域内低次奇数次高調波信号群と中レベルから高レベルの可聴帯域内低次偶数次高調波信号群を原音響信号に付加する事、および可聴帯域内低次偶数次高調波信号群を原音響信号の振幅関数として移相する事により生じるビート成分を用いてスピーカー振動板に過度な振幅を与える事なく聴感上十分な低音強調効果を得る事を特徴とする音響機器付加回路および装置。
【請求項２】
請求項１の低音強調過程において用いられる中レベルから高レベルの可聴帯域内低次偶数次高調波信号群が入力信号の振幅関数として最大１８０度の移相動作を伴い出力される事を特徴とする音響機器付加回路および装置。
【請求項３】
原音響信号より生成した小レベルの可聴帯域内低次奇数次高調波信号群と中レベルから高レベルの可聴帯域内低次偶数次高調波信号群を原音響信号に付加する事、および可聴帯域内低次偶数次高調波信号群を原音響信号の振幅関数として移相する事により生じるビート成分を原音響信号に付加する事によってベース・ディストーションやベース・ファズの様な歪系楽器用特殊効果装置を実現する音響機器付加回路および装置。
【請求項４】
請求項３の歪系楽器用特殊効果装置において用いられる中レベルから高レベルの可聴帯域内低次偶数次高調波信号群が入力信号の振幅関数として最大１８０度の移相動作を伴い出力される事を特徴とする音響機器付加回路および装置。
【請求項５】
図２および図３の回路構成をとり、その回路動作が、ソフトクリップ回路もしくはコンプレッサー回路、リミッター回路等の低次奇数次高調波信号が生成される様な振幅制限回路と偶数次高調波発生回路を従属接続する事、および原音響信号と非対称差動演算を行う事で生成する高調波信号と原音響信号を用いる事で、低音の強調、減衰と低音領域におけるビート生成によって低音強調効果を実現する事を特徴とする音響機器付加回路および装置。
【請求項６】
請求項５の低音強調過程において用いられる中レベルから高レベルの可聴帯域内低次偶数次高調波信号群が入力信号の振幅関数として最大１８０度の移相動作を伴い出力される事を特徴とする音響機器付加回路および装置。
【請求項７】
回路９、回路１８は遮断周波数が５０Ｈｚ以下であり、遮断特性は６ｄＢ／ｏｃｔである請求項５の音響機器付加回路および装置。
【請求項８】
請求項７の低音強調過程において用いられる中レベルから高レベルの可聴帯域内低次偶数次高調波信号群が入力信号の振幅関数として最大１８０度の移相動作を伴い出力される事を特徴とする音響機器付加回路および装置。
【請求項９】
回路１１、回路１９は遮断周波数が２００Ｈｚ以上であり、遮断特性は２４ｄＢ／ｏｃｔである請求項５の音響機器付加回路および装置。
【請求項１０】
請求項９の低音強調過程において用いられる中レベルから高レベルの可聴帯域内低次偶数次高調波信号群が入力信号の振幅関数として最大１８０度の移相動作を伴い出力される事を特徴とする音響機器付加回路および装置。
【請求項１１】
不可逆性圧縮処理を含むディジタル化された音響信号源に対して用いるディジタル信号処理過程において請求項５から請求項８を実現する事を特徴とする音響機器付加回路および装置。
【請求項１２】
図５および図６の回路構成をとり、その回路動作が、ソフトクリップ回路もしくはコンプレッサー回路、リミッター回路等の低次奇数次高調波信号が生成される様な振幅制限回路と偶数次高調波発生回路を従属接続する事、および原音響信号と非対称差動演算を行う事で生成する高調波信号と原音響信号を用いる事で、低音の強調、減衰と低音領域におけるビート生成によって低音強調効果を実現する事を特徴とする音響機器付加回路および装置。
【請求項１３】
請求項１２の低音強調過程において用いられる中レベルから高レベルの可聴帯域内低次偶数次高調波信号群が入力信号の振幅関数として最大１８０度の移相動作を伴い出力される事を特徴とする音響機器付加回路および装置。
【請求項１４】
回路２８、回路２９は遮断周波数が５０Ｈｚ以下であり、遮断特性は６ｄＢ／ｏｃｔである請求項１２、請求項１３の音響機器付加回路および装置。
【請求項１５】
回路８および回路１５にＶＣＡ（電圧制御増幅器）やＦＥＴ、トランジスター、トランスコンダクタンス・アンプ、オプトカプラー等の電圧制御抵抗器もしくは乗算器（マルチプライアー）を用いる事で請求項５から請求項１０および請求項１２から請求項１４と同等の効果を発生する音響機器付加回路および装置。
【請求項１６】
回路８および回路１５の振幅制限動作のアタック時間、レリース時間を変化させる事で生成する奇数次高調波信号の次数を制御する請求項５から請求項１５の音響機器付加回路および装置。
【請求項１７】
家庭用コンピューターやマイクロコンピューター等の電子計算機や専用プロセッサー（ＤＳＰ）を用いる事で請求項１から請求項１６の音響機器付加回路および装置をディジタル信号処理によって実現するプログラムを記録した記録媒体。
【発明の詳細な説明】
【技術分野】
【０００１】本発明は電子音響装置に関するものであり、特定的には音響信号の低音領域における高効率再生に必用な高調波発生器及び方法に関するものである。
【背景技術】
【０００２】高調波発生器を利用した低音強調技術としてオランダ国、エヌ・ベー・フィリップス・フルーイランペンファブリケンの技術（特許文献１参照）が開示されている。【０００３】高調波発生器を利用した低音強調技術として日本国、株式会社コルグの技術（特許文献２参照）が開示されている。【０００４】高調波発生器と低音の動的制御を兼用した低音強調技術として日本国、松下電器産業株式会社の技術（特許文献３参照）が開示されている。【０００５】音響信号中の低音領域を動的に制御する事で低音強調を行いながらスピーカー等再生系の飽和によって生じる歪感を改善する技術として米国、アフェックス・システムズ・リミテッドの技術（特許文献４参照）が開示されている。【０００６】音響信号への高調波信号付加によって聴感上、信号強調と類似した音量の増大感が得られる原理はハース効果（ＨＡＡＳ  Ｅｆｆｅｃｔ）として周知されている。【０００７】音声遅延器の利用によってハース効果を誘発させる信号強調例として、バスドラムやベース・ギター等低音楽器に遅延音を付加する事で知覚される粘り感や力感の増大といった聴感上の低音強調が楽曲録音、制作技法として周知されている。【０００８】ハース効果に類似した信号強調例としては録音用効果機器として用いられるコンプレッサーによってバスドラムやベース・ギター等低音楽器を加工し、高調波成分を増加する事で知覚される粘り感や力感の増大といった聴感上の低音強調が楽曲録音、制作技法として周知されている。【０００９】音響信号源に基本波が存在しない場合、高調波成分の聴取から基本波を知覚する現象としてビートが周知されている。その高調波群（調波構造音）のいくつかはヴァーチャルピッチ（Ｖｉｒｔｕａｌ  Ｐｉｔｃｈ）とよばれ聴覚をより強く刺激する事が確認されている。【００１０】聴覚はビートによる基本波認識とヴァーチャルピッチによる基本波認識を弁別する事が確認されている（非特許文献１参照）。【００１１】ヴァーチャルピッチによる信号強調効果はミッシングファンダメンタル現象（Ｍｉｓｓｉｎｇ  Ｆｕｎｄａｍｅｎｔａｌ  Ｐｈｅｎｏｍｅｎｏｎ）とよばれ、帯域制限された音響信号源や音響機器の聴感向上に応用されている。
【特許文献１】特開平    ５−３２８４８１
【特許文献２】特願２０００−５９１６０８
【特許文献３】特開２００６−２７０６９８
【特許文献４】特開平    ６−１６４２７１
【非特許文献１】三浦雅展氏日本語ホームページ内、学術論文調波構造音による先行音効果（ｈｔｔｐ：／／ｗｗｗ．ｓｕｇ．ｉ．ｒｙｕｋｏｋｕ．ａｃ．ｊｐ／ｍｉｕｒａ／ｐｄｆ＿ｄｏｍ／ＤＯＭ２０００−０７−ＳＰ−ＶＰ．ｐｄｆ）
【発明の開示】
【発明が解決しようとする課題】
【００１２】音響再生におけるマルチチャンネル・サラウンドの普及や生活様式の変化に伴い家庭用スピーカーの主流が小型品に移行している。【００１３】小型スピーカーではエンクロージュア容積の低下、スピーカーユニットの最低共振周波数上昇、耐入力の低下等によって低音領域の再生が困難になる事から、高品質な音響再生を指標した場合は小型スピーカーに特化した対策が求められる。【００１４】小型スピーカーによって十分な低音再生を行う方法として聴覚の指向性、感度が１００Ｈｚ周辺から低下する事を利用して低音領域のみを専用のモノラルスピーカーで再生する３Ｄ方式が古くから周知されている。【００１５】３Ｄ方式は低音スピーカーの設置スペースが必要な事や設置場所によって発生する定在波、使用するデバイディング回路の特性（位相回転）により再生音の定位に不自然さを伴う事があり普及に至っていない。【００１６】小型スピーカーによって十分な低音再生を行う最も実用的な方法がトーンコントロール回路やイコライザーユニットによって再生音の低域を強調する方法である。しかし小型スピーカーではボイスコイルの有効振幅が少ない事や耐入力が低い事から再生音の中音域や高音域の最大出力まで規制する事になり十分な再生音量が望めない問題点が指摘される。【００１７】解決策として聴覚生理を応用した低音強調が実用化されている。方法としては原音響信号に高調波を加算するもの（特許文献１、特許文献２）、原音響信号の低音領域に動的振幅補正を行うもの（特許文献４）、高調波加算と動的振幅補正を兼用したもの（特許文献３）が考案されている。【００１８】本発明は従来方式である高調波加算と動的振幅補正を兼用した低音強調を基本に、加算高調波にハース効果を誘発する事で、低音領域における聴感上の強調量を拡大しながらスピーカーに入力される低音領域の振幅低減を行い、ボイスコイル等スピーカー駆動部の発熱を低下させる事で小型スピーカーに特化した効率的な低音強調を実現しようとするものである。【００１９】この技術によって処理された音響信号は聴感上の低音強調が行われているにもかかわらず低音領域での振幅が圧縮されコンプレッサーによる処理とスペクトル上類似し大型スピーカーやヘッドフォンによる聴取で違和感が生じない。この事から各種メディアによる音響信号伝送時のシングルエンド・エンファシス（ＡＭ放送におけるプリエンファシスと同義）としての利用を期待するものである。【００２０】この技術は加算高調波のスペクトル範囲を拡大（基本回路では加算高調波のスペクトル範囲を低音領域に限定している）する事で偶数次高調波をフランジングさせたディストーション効果を生成可能な事から歪系楽器用特殊効果装置への応用を期待するものである。
【課題を解決するための手段】
【００２１】小型スピーカーにおいて聴感上十分な低音強調効果を実現しながら歪感を防止する為、５０Ｈｚ以下を６ｄＢ／ｏｃｔで緩やかに遮断、２００Ｈｚ以上を２４ｄＢ／ｏｃｔで急峻に遮断した高調波信号を原音響信号に加算する、５０Ｈｚ以下を６ｄＢ／ｏｃｔで遮断する理由は加算高調波がヴァーチャルピッチを伴う高調波群（調波構造音）とならない場合にビート成分を再生する帯域を確保する必用からである。【００２２】図２の実動回路例である図１では、回路２での位相反転を補償する位相反転１回路（１）、振幅制限と連動し生成する高調波信号の振幅およびスペクトルを制御する高調波発生１回路（２）、非対称振幅制限および原音響信号と高調波発生１回路からの出力を非対称差動演算する事で聴感上有用な高調波を生成する事および小型スピーカー駆動上不要な５０Ｈｚ以下の低周波信号を減衰させる高調波発生２回路（３）、高調波発生２回路出力から聴感が歪として知覚する有害な高調波成分を急峻に遮断する低域濾過器（５）、生成した高調波成分と原音響信号を加算する加算回路（６）、加算回路による位相反転を補償する位相反転２回路（４）により小型スピーカーに最適化した効率的な低音強調を実現する。
【発明の効果】
【００２３】高調波加算による従来の低音強調は原音響信号と振幅相関を持った高調波成分を原音響信号に加算する事で発生するビートおよびミッシングファンダメンタル現象によって低音強調を行うもので、ビート成分を十分に再生する場合はスピーカーに十分な低音再生能力が必要であり、ミッシングファンダメンタル現象を期待し過度の高調波加算を行なった場合は再生音が歪感を伴うといった問題点が指摘される。【００２４】動的振幅補正による従来の低音強調はスピーカー出力が低レベルから中レベルにおいては低音強調を行ない、スピーカーが歪を発生する様な過大レベルにおいては低域を減衰させるもので、低音強調効果が大きく弊害の少ない方式である。しかし衝撃音の様に低音域から中音域までの振幅変化が大きな音源では低域減衰により音色が変化してしまうといった問題点が指摘される。【００２５】この様な問題点を軽減する為に高調波加算と動的振幅補正を兼用する低音強調が考案された、この方式では高調波加算による問題点である低音強調効果の弱さや歪感を抑圧しながら動的振幅補正による音色の変化を高調波加算によってマスキングする事が可能であり両方式の問題点改善が可能である。【００２６】本発明では高調波加算と動的振幅補正を兼用する低音強調を基本としながら録音用効果機器に多用されるフランジング効果付加による明瞭度改善技術の応用を検討した。【００２７】聴覚生理現象として周知されているマスキング効果とカクテル・パーティー効果は同条件における聴取音が聴取者に与える結果が全く逆であり、聴取者の心理状態や記憶が明瞭度の改善に大きく影響する事が理解出来る。【００２８】これらより、聴感の低下が顕著な１００Ｈｚ未満において、フランジング効果と類似した成分を原音響信号に付加する事で聴覚を刺激し、カクテル・パーティー効果による知覚レベル向上（マスキング・レベルの低下）が可能と推測した。【００２９】以上の考察を基に、入力信号の振幅関数として移相した高次偶数次高調波信号群および高次奇数次高調波信号群（高調波発生２回路で同時生成する）に低域濾過を行ない原音響信号に付加したところ、ビートやミッシングファンダメンタル現象再現に必用な高調波加算量を低減しながら従来方式以上の低音強調効果が得られる事を確認した。
【発明を実施するための最良の形態】
【００３０】安価で小型、簡便な事を優先し回路を実現する手段としては図１のアナログ演算器の使用が最良であり実現するコストから考えても有利である。又、ディジタル家電の様な全ディジタル処理での応用時も本回路構成の利用が最良と考えられる。【００３１】大胆な音質変更が求められる録音用効果機器や歪系楽器用特殊効果装置、シングルエンド・エンファシス等への応用には図３の様に高調波のスペクトル調整機能や濾過器遮断特性調整機能、入力音響信号との加算比の調整機能追加が最良の形態と考えられる。
【実施例】
【００３２】本発明の実用回路例である図４は、以下の過程によって小型スピーカーに最適化した低音強調を実現する。【００３３】原音響信号として最大３Ｖ（ｐｅａｋ  ｔｏ  ｐｅａｋ値）程度の４０Ｈｚ正弦波が入力される場合、回路２１の低域濾過器は遮断周波数が１００Ｈｚ程度の為、反転バッファーとして機能する。回路２１を低域濾過器とする理由は楽音等の現実的な信号入力時に回路２２で発生する遅れ位相成分を回路２１の進み位相成分で相殺し最終出力で生じるナルポイントによるボーカル成分の明瞭度低下を低減する為である。【００３４】回路２２はダイオードを負帰還ループに組み込んだソフトクリップ回路で出力波形は図１４の様に波形の立ち上がり、立下りが緩やかな方形波形状となり低次奇数次高調波成分の生成が確認出来る。これに対し、通常コンプレッサーとよばれる回路によって振幅制限された波形は図１３の様に振幅のみが変化しスペクトルは変化しない（アタック時間、レリース時間が０秒の場合）。【００３５】又、回路２２に乗算器を用いる事で振幅制限動作開始時間（アタック時間）を可変可能な構成とすれば波形のエッジを強調可能であり、高調波成分の次数を制御可能である。更に振幅制限動作開放時間（レリース時間）を可変する事によっても相対的に振幅制限動作開始時間を変更可能な為、高調波成分の次数を制御可能である。【００３６】図１５はダイオードクリップ回路によって振幅制限された波形である、無帰還状態でダイオードを使用する事から高次奇数次高調波成分を発生する。方形波形状を示すがハードクリップである為、波形の立ち上がり、立下りが鋭く、基音の明瞭度が問われないディストーションの様な歪系楽器用特殊効果装置以外の用途では不適当である。図１２は回路２２をダイオードクリップ回路に置き換えた回路例である。【００３７】奇数次高調波成分は次数の高低によって知覚効果が変化する事が経験的に知られており可聴帯域内に奇数次高調波成分が存在する場合、高次の場合は鋭さや金属感が、低次の場合は粘り感や力感が増加する、本発明ではこの経験則から回路２２にソフトクリップ回路を使用した。【００３８】回路２３は回路２２の出力から高次偶数次高調波成分の生成、原音響信号の振幅関数としての偶数次高調波成分移相および不要な低域成分の除去を行う。【００３９】この時のＡ点は図１６の様な波形を出力する、このスペクトルは図７の様にハーモニーとして知覚される偶数次高調波成分の含有量が多い事から従来方式による低音強調に比較しザラつき感の減少や低音の粘り感、力感向上を確認する事が出来る。【００４０】回路２５の低域濾過器は回路２３出力中から歪として知覚され低音強調時のビートやミッシングファンダメンタル現象再現に不要な高調波成分を急峻に遮断する為に使用する。回路２７は反転加算器の為、図４の音響信号出力では高調波成分の加算と同時に原音響信号低音領域における振幅減衰を行う事が出来る。【００４１】原音響信号が最大１Ｖ程度に減少した場合、Ａ点は図１７の様な波形を出力する。図１６と比較した波形の非対称成分は低音領域において近似する、この事から偶数次高調波成分が原音響信号の振幅関数として移相し原音響信号の低音領域では基本波成分が正相加��され振幅強調を行う事が出来る。【００４２】この移相量は４０Ｈｚ未満の周波数において１０ｍｓｅｃ以上となる為、ハース効果により音量の増大として知覚される。又、移相量が２０ｍｓｅｃ以上となる周波数においては聴感が低下する領域である事と移相動作が入力信号の振幅関数となる事から先行音として知覚されずカクテル・パーティー効果による知覚向上が行われる。【００４３】図１１は図４から移相動作を削除した回路である、ほぼ同一の基本構成にもかかわらず、この回路ではカクテル・パーティー効果による知覚レベル向上が行われない。十分な低音強調効果を得るには高調波加算量を増加しなければならず、従来方式同様に低音強調時の歪感やフレーズを聞き取れないといった明瞭度低下が発生する。【００４４】回路２６は生成された高調波成分および振幅制御された低域成分と原音響信号の加算比を最適値に調整する可変抵抗器、回路２４、回路２７は回路２６出力と原音響信号を加算する加算回路を構成する。加算回路は各種考えられるが凡例にならって反転型を用いた。ディジタル信号処理での実施においては位相関係が同一となれば回路２４、回路２７は不要である。【００４５】図８は小振幅出力、図９は中振幅出力、図１０は大振幅出力時の音響信号出力スペクトル概略である。出力振幅の小、中、大は便宜的な表現であり実際の応用では後段の増幅器やスピーカーが歪を発生する直前の出力を大振幅出力としてレベル・ダイアの調整を行う必要がある。【００４６】図５、図６は図１の応用例である、回路２８は回路３の負帰還ループ中のダイオードに抵抗を直列接続したもの、回路２９は回路２８のダイオードを逆接続としたものである。回路２８、回路２９は偶数次高調波発生回路として動作するが、ダイオードと抵抗を直列接続した事で入力波形の対称成分を増幅する事が可能になり奇数次高調波成分を増幅する事が出来る。【００４７】回路２８、回路２９で増幅される奇数次高調波成分は鋭さや金属感として知覚される事から最適値ではベース・ギターのピッキングやバスドラムの皮の響きが明瞭になる。ダイオードの接続方向は生成する偶数次高調波成分の位相（Ｐｈａｓｉｎｇ）である、この移相量（Ｓｈｉｆｔｉｎｇ）は低音領域において２０ｍｓｅｃ以上となる事からベース・ギターではアタック感の違いとして知覚され図６ではより強いアタック感を得る事が可能である。【００４８】図１８は歪系楽器用特殊効果装置の回路例である、回路２５の低域濾過器を低音楽器の基音および生成高調波強調を兼ねたソフトクリップ回路に置き換える事でディストーションとフランジャーの直列接続に類似の特殊効果を実現している。
【産業上の利用可能性】
【００４９】小型スピーカーに最適化した高品位な低音強調を安価に実現可能な為、ビデオゲーム機器や携帯電話機、ＰＣ用スピーカーへの利用も有効である。更に本発明による高調波生成機能は入力波形に強い相関を持った高調波成分を生成可能な事から倍音再生技術や各種文字、図形データへのアウトライン処理、映像信号における解像度改善技術、各種波形応答の未来予測、サブ・ナイキスト・サンプリングされた信号源の復調等に応用可能と思われる。
【図面の簡単な説明】
【００５０】
【図１】回路２、回路３は乗算器に置き換えが可能であるが、安価で簡潔な回路を実現する為に乗算器等の特殊部品を使用せずアナログ演算器とダイオード、キャパシター、レジスターの汎用部品で構成した実施例である。
【図２】図１の回路動作概要をブロック図としたものである。
【図３】録音用効果機器やシングルエンド・エンファシスへの応用例である。
【図４】実用回路例の詳細である。
【図５】図１の原音響信号と生成高調波信号の位相を反転し奇数次高調波信号増幅を追加した回路例である。
【図６】図１に奇数次高調波信号増幅を追加した回路例である。
【図７】本発明によって生成される高調波成分のスペクトル例である。
【図８】図４の音響信号出力スペクトル例１である。
【図９】図４の音響信号出力スペクトル例２である。
【図１０】図４の音響信号出力スペクトル例３である。
【図１１】図４から移相動作を削除した回路例である。
【図１２】回路２２をダイオードクリップ回路に置き換えた回路例である。
【図１３】一般的なコンプレッサーによる振幅制限例である。
【図１４】ソフトクリップ回路による振幅制限例である。
【図１５】ダイオードクリップ回路による振幅制限例である。
【図１６】原音響信号が最大３Ｖ程度のＡ点波形比較図である。
【図１７】原音響信号が最大１Ｖ程度のＡ点波形比較図である。
【図１８】歪系楽器用特殊効果装置への応用例である。
【符号の説明】
【００５１】１      位相反転１回路
２      スペクトル制御および高調波発生１（低次奇数次高調波発生）回路
３      差動演算、高調波発生２（高次偶数次高調波発生）および低周波遮断回路
４      位相反転２回路
５      低周波濾過回路
６      原音響信号、生成高調波加算回路
７      位相反転１回路のブロック図表記
８      スペクトル制御および高調波発生１（低次奇数次高調波発生）回路のブロック図表記
９      差動演算、高調波発生２（高次偶数次高調波発生）および低周波遮断回路のブロック図表記
１０    位相反転２回路のブロック図表記
１１    低周波濾過回路のブロック図表記
１２    原音響信号、生成高調波加算回路のブロック図表記
１３    ＲＭＳ変換回路のブロック図表記
１４    微分処理、積分処理による包絡線形状調整回路のブロック図表記
１５    乗算による入力音響信号のスペクトル制御および高調波発生１（低次奇数次高調波発生）回路のブロック図表記
１６    高調波発生１（低次奇数次高調波発生）回路出力の加算量調整回路のブロック図表記
１７    差動演算および高調波発生２（高次偶数次高調波発生）回路出力の加算量調整と振幅制限量調整回路のブロック図表記
１８    高調波発生２（高次偶数次高調波発生）回路出力の低周波遮断周波数調整回路のブロック図表記
１９    低周波濾過、遮断周波数調整回路のブロック図表記
２０    原音響信号と生成高調波加算量調整回路のブロック図表記
２１    位相反転１実動回路
２２    スペクトル制御および高調波発生１（低次奇数次高調波発生）実動回路
２３    差動演算、高調波発生２（高次偶数次高調波発生）および低周波遮断実動回路
２４    位相反転２実動回路
２５    低周波濾過実動回路
２６    生成高調波加算比調整用抵抗
２７    原音響信号と生成高調波加算実動回路
２８    差動演算、反転高調波発生２（高次偶数次高調波発生）、奇数次高調波増幅および低周波遮断回路
２９    差動演算、高調波発生２（高次偶数次高調波発生）、奇数次高調波増幅および低周波遮断回路
３０    ３１、３２、３３への比較用共通入力波形（最大３Ｖ程度の４０Ｈｚ正弦波）
３１    一般的なコンプレッサーの出力波形例
３２    回路２１と回路２２による出力波形例
３３    ダイオードクリップ回路による出力波形例
３４    図４への入力波形例（最大３Ｖ程度）
３５    入力が３４のＡ点波形例
３６    図４への入力波形例（最大１．２Ｖ程度）
３７    入力が３６のＡ点波形例
Ａ    回路２３の出力波形
【図１】
2008219844.tif 000003
【図２】
2008219844.tif 000004
【図３】
2008219844.tif 000005
【図４】
2008219844.tif 000006
【図５】
2008219844.tif 000007
【図６】
2008219844.tif 000008
【図７】
2008219844.tif 000009
【図８】
2008219844.tif 000010
【図９】
2008219844.tif 000011
【図１０】
2008219844.tif 000012
【図１１】
2008219844.tif 000013
【図１２】
2008219844.tif 000014
【図１３】
2008219844.tif 000015
【図１４】
2008219844.tif 000016
【図１５】
2008219844.tif 000017
【図１６】
2008219844.tif 000018
【図１７】
2008219844.tif 000019
【図１８】
2008219844.tif 000020